(57)【要約】【課題】  複数部ソートコピーにおいてメモリフルエラー終了による途中までの出力結果の無駄を軽減する。【解決手段】  出力デバイスの記憶媒体の画像データ格納領域残量取得手段により取得した値と前記画像データ格納領域残量閾値取得手段により取得した値を比較して、記憶媒体へ格納した画像データを出力デバイスへ転送するタイミングを変更する。【選択図】  図１
2008311732.tif 000002
【特許請求の範囲】
【請求項１】
原稿をスキャンして画像データに変換する手段と、
前記画像データを記憶媒体へ格納する格納手段と、
前記記憶媒体へ格納した画像データを出力デバイスへ転送して印刷する手段と、
前記出力デバイスの記憶媒体の画像データ格納領域残量取得手段と、
画像データ格納領域残量閾値取得手段と、
前記出力デバイスの記憶媒体の画像データ格納領域残量取得手段により取得した値と前記画像データ格納領域残量閾値取得手段により取得した値を比較する手段とを有し、
前記比較手段の結果に応じて、記憶媒体へ格納した画像データを出力デバイスへ転送するタイミングを変更すること
を特徴とする画像入出力装置。
【請求項２】
複数の出力デバイスへ転送して印刷することが可能であり、出力デバイス毎に画像データを転送するタイミングを変更することを特徴とする請求項１に記載の画像入出力装置。
【請求項３】
請求項１に記載のタイミングは、請求項１に記載の比較する手段の結果として、
記憶媒体の画像データ格納領域残量を取得手段により取得した値の方が多い場合、印刷するページの画像データが記憶媒体へ格納された時であり、
記画像データ格納領域残量閾値取得手段により取得した値の方が多い場合、印刷する全てのページの画像データが記憶媒体へ格納された時であることを特徴とする請求項１に記載の画像入出力装置。
【請求項４】
請求項１に記載の画像データ格納領域残量閾値取得手段は、
読み取りモード（原稿サイズ、白黒読み取りかカラー読み取りか、片面読読み取りか両面読み取りか）毎に決めた１ページの画像データサイズ、
原稿フィーダを使用する場合は、原稿フィーダ2701の積載可能枚数、
画像データ格納領域残量閾値を補正するための閾値補正係数
の積値であることを特徴とする請求項１に記載の画像入出力装置。
【発明の詳細な説明】
【技術分野】
【０００１】
本発明は、画像出力装置に関するものであり、特に複数部のソートコピーをする処理に関わる発明である。
【背景技術】
【０００２】
近年、１台或いは複数台の複合機で複数部のソートコピーをする事が可能になっている。上記の例として、下記特許文献１及び特許文献２をあげることが出来る。
【特許文献１】特開 2000-151873号公報
【特許文献２】特開 2004-229123号公報
【発明の開示】
【発明が解決しようとする課題】
【０００３】
コピー機能において、ソート（ステイプル、回転等）複数部出力時は全原稿を蓄積する必要がある。
【０００４】
しかし、画像データ格納領域の残量が少ない場合、原稿を全て蓄積できずメモリフルエラー終了する。このとき、途中まで記録出力して終了するため資源の無駄である。さらに、複数台の複合機で連携してコピーする時はより無駄が多くなる。
【課題を解決するための手段】
【０００５】
本発明の請求項１は、
原稿をスキャンして画像データに変換する手段と、
前記画像データを記憶媒体へ格納する格納手段と、
前記記憶媒体へ格納した画像データを出力デバイスへ転送して印刷する手段と、
前記出力デバイスの記憶媒体の画像データ格納領域残量取得手段と、
画像データ格納領域残量閾値取得手段と、
前記出力デバイスの記憶媒体の画像データ格納領域残量取得手段により取得した値と前記画像データ格納領域残量閾値取得手段により取得した値を比較する手段とを有し、
前記比較手段の結果に応じて、記憶媒体へ格納した画像データを出力デバイスへ転送するタイミングを変更すること
を特徴とする画像入出力装置である。
【０００６】
又、本発明の請求項２は、
複数の出力デバイスへ転送して印刷することが可能であり、出力デバイス毎に画像データを転送するタイミングを変更することを特徴とする請求項１に記載の画像入出力装置である。
【０００７】
更に、本発明の請求項３は、
請求項１に記載のタイミングは、請求項１に記載の比較する手段の結果として、
記憶媒体の画像データ格納領域残量を取得手段により取得した値の方が多い場合、印刷するページの画像データが記憶媒体へ格納された時であり、
記画像データ格納領域残量閾値取得手段により取得した値の方が多い場合、印刷する全てのページの画像データが記憶媒体へ格納された時であることを特徴とする請求項１に記載の画像入出力装置である。
【０００８】
本発明の請求項４は、
請求項１に記載の画像データ格納領域残量閾値取得手段は、
読み取りモード（原稿サイズ、白黒読み取りかカラー読み取りか、片面読読み取りか両面読み取りか）毎に決めた１ページの画像データサイズ、
原稿フィーダを使用する場合は、原稿フィーダ2701の積載可能枚数、
画像データ格納領域残量閾値を補正するための閾値補正係数
の積値であることを特徴とする請求項１に記載の画像入出力装置である。
【発明の効果】
【０００９】
本発明により、メモリの少ない複合機での複数部ソートコピーにおいて、メモリフルエラー終了による途中までの出力結果の無駄を軽減することが可能となる。
【発明を実施するための最良の形態】
【００１０】
次に、本発明の詳細を実施例の記述に従って説明する。
【実施例１】
【００１１】
以下、本発明にかかる一実施形態について、図面を参照して詳細に説明する。
【００１２】
図1は、本発明の実施例を示す画像入出力装置システムの全体の構成を説明するブロック図である。本画像入出力装置200は、画像入力デバイスであるスキャナ部2070、画像出力デバイスであるプリンタ部2095、Controller Unit 2000、ユーザーインターフェースである操作部2012から構成される。スキャナ部2070、プリンタ部2095、操作部2012は、それぞれController Unit 2000に接続され、Controller Unit 2000は、LAN 2011などのネットワーク伝送手段、公衆回線に接続されている。公衆回線からはカラー画像送信を含むG3、G4ファックスによる送信が可能である。また、LAN 2011には、画像入出力装置200と同様の機器構成をもつ他の画像入出力装置220、230が接続されえている。また、パーソナルコンピュータ（以下PC）240が接続されていて、FTP,SMBプロトコルを使用したファイルの送受信、電子メールの送受信ができる。画像入出力装置220、230は、それぞれスキャナ部2270、2370、プリンタ部2295、2395、操作部2212、2312を持ち、それらがController Unit 2200、2300に接続されている。
【００１３】
図2は、画像入出力装置の構成を説明するブロック図である。
【００１４】
Controller Unit 2000は画像入力デバイスであるカラースキャナ2015や画像出力デバイスであるカラープリンタ2017と接続し、一方ではLAN2008や公衆回線(WAN)2051接続することで、画像情報やデバイス情報の入出力を行う為のコントローラである。
【００１５】
CPU2001はシステム全体を制御するコントローラである。RAM2002はCPU2001が動作するためのシステムワークメモリであり、画像データを一時記憶するための画像メモリでもある。
【００１６】
ROM2003はブートROMであり、システムのブートプログラムが格納されている。
【００１７】
HDD2004はハードディスクドライブで、システムソフトウェア、画像データを格納する。
【００１８】
操作部I/F2005は操作部(UI)2006とインタフェース部で、操作部2006に表示する画像データを操作部2006に対して出力する。
【００１９】
また、操作部2006から本システム使用者が入力した情報を、CPU2001に伝える役割をする。
【００２０】
Network2007はLAN2008に接続し、情報の入出力を行う。RTC(Real Time Clock)2027は、時刻を得るための時計回路である。
【００２１】
Modem2050は公衆回線2051に接続し、画像情報の入出力を行う。2値画像回転2052、および2値画像圧縮・伸張2053はModem2053で2値画像を送信する前に画像の方向を変換したり、所定の解像度、あるいは相手能力に合わせた解像度に変換するためのものである。
【００２２】
圧縮、伸張はJBIG、MMR、MR、MH をサポートしている。
【００２３】
DMAC2009はDMAコントローラであり、RAM2002に格納されている画像をCPU2001を介することなく読み取りImageBusI/F2011に対して画像転送する。
【００２４】
もしくは画像バスからの画像をCPU2001を介することなくRAM2002に書き込む。
【００２５】
以上のデバイスがシステムバス2008に接続される。
【００２６】
ImageBus2011は画像バス2010を介して高速な画像の入出力を制御するためのインタフェースである。圧縮器2012は画像バス2010に画像を送出する前に３２画素x３２画素の単位でJPEG圧縮するための圧縮器である。
【００２７】
伸張器2013は画像バス2010を介して送られた画像を伸張するための伸張器である。
【００２８】
ラスターイメージプロセッサ(RIP)2018はホストコンピュータからのPDLコードをNetwork2007を介して受け取り、システムバス2008を通して、CPU2001がRAM2002に格納する。
【００２９】
CPU2001はPDLを中間コードに変換し、再度システムバス2008を介してRIP2018に入力し、ビットマップイメージ（多値）に展開する。
【００３０】
スキャナ画像処理2014はスキャナ2015からのカラー画像、白黒画像に対して、適切な各種画像処理（たとえば補正、加工、編集）を行い出力する（多値）。
【００３１】
同様にプリンタ画像処理2016はプリンタ2017に対して適切な各種画像処理（たとえば補正、加工、編集）を行うプリント時は伸張2013で2値多値変換を行うので、2値、および多値出力が可能である。
【００３２】
画像変換部2030はRAM上にある画像を画像変換し、再度、RAM2030に下記戻すときに使われる各種画像変換機能を有する。
【００３３】
回転器2019は３２画素ｘ３２画素単位の画像を指定された角度で回転でき、2値、および多値の入出力に対応している。
【００３４】
変倍器2020は画像の解像度を変換（たとえば600dpiから200dpi）したり、変倍したりする機能（たとえば25%から400%まで）を有する。変倍する前には32x32画素の画像を32ライン単位の画像に並び替える。
【００３５】
色空間変換2021は多値入力された画像をマトリクス演算、およびLUTにより、たとえばメモリ上にあるYUV画像をLab画像に変換し、メモリ上に格納する。
【００３６】
また、この色空間変換は3x8のマトリクス演算および、1次元LUTをもち、公知の下地とばしや裏写り防止を行うことができる。変換された画像は多値で出力される。2値多値変換2022は1bit2値画像を多値8bit、256階調にする。逆に多値2値変換2025はたとえばメモリ上にある8bit、256階調の画像を誤差拡散処理などの手法により1bit、2階調に変換し、メモリ上に格納する。
【００３７】
合成はメモリ上の2枚の多値画像画像を合成し、1枚の多値画像にする機能を有する。たとえば、メモリ上にある会社ロゴの画像と原稿画像を合成することで、原稿画像に簡単に会社ロゴをつけることができる。
【００３８】
間引き2024は多値画像の画素を間引くことで、解像度変換を行うユニットであり1/2,1/4,1/8の多値画像を出力可能である。
【００３９】
変倍2020と合わせて使うことで、より広範囲な拡大、縮小を行うことができる。移動2025は入力された2値画像、多値画像に余白部分をつけたり、余白部分を削除したりして出力することができる。
【００４０】
回転2019、変倍2020、色空間変換2021、2値多値2022、合成2023、間引き2024、移動2025、多値2値2026ははそれぞれ連結して動作することが可能で、たとえばメモリ上の多値画像を画像回転、解像度変換する場合は、両処理をメモリを介さずに連結して行うことができる。
【００４１】
図3に画像の形式を示す。本発明で使用される画像の形式は特開2001-103473で開示されている画像パケット構造を利用する。
【００４２】
圧縮2012ではラスター形式の画像を、図3のごとく32x32画素単位のパケットとして並び替え、パケット単位でJPEG圧縮を行う。同時にパケットにパケットの位置を示すID、色空間、QテーブルID、データ長などの情報を付加してヘッダーとする。文字、写真を示す2値のデータ（像域フラグ）も同様に圧縮して、JPEGの後ろに付随させる。
【００４３】
図4にパケットデータを示す。伸張2013ではこのヘッダー情報をもとにJPEGを展開し、ラスター画像に並び替える。このようなパケット画像にすることで、画像回転のときにはパケット内部の画像のみを回転し、パケットIDの位置を変更することで、部分的に伸張圧縮で回転することができるため非常に効率がよい。ImageBus2010を流れる画像はすべてパケット画像になる。
【００４４】
FAX送信や2値画像回転2052、2値画像圧縮、伸張2053などでラスター画像が必要な場合は、パケット画像からラスター画像への変換をソフトウェアによって行う。
【００４５】
図5にスキャナ画像処理2014の詳細説明を示す。
【００４６】
スキャナから入力されたRGB各8bitの輝度信号は画像領域イネーブル生成部2510により、使用者からの指示に基づいて原稿画像領域の必要部分の区間を後段の画像処理に流すよう設定される。
【００４７】
ここには入力画像を32x32画素単位になるように余分に画像を読み取るよう設定しておく。その後、マスキング2501によりCCDのフィルタ色に依存しない標準的なRGB色信号に変換される。
【００４８】
フィルタ2502ではたとえば9x9のマトリクスを使用し、画像をぼかしたり、メリハリをつける処理が行われる。
【００４９】
ヒストグラム2503は入力画像中の画像信号データのサンプリングをする処理部であり、入力画像の下地レベル判定に使用される。このモジュールでは主走査方向、副走査方向にそれぞれ指定した開始点から終了点で囲まれた矩形領域内のRGBデータを、主走査方向、副走査方向に一定のピッチでサンプリングし、ヒストグラムを作成する。
【００５０】
このヒストグラムは、下地とばしや、裏写り防止が指定されたとき、読み出され、ヒストグラムから原稿の下地を推測し、下地とばしレベルとして、画像とともにメモリやHDDに保存、管理され、印刷や送信時の画像処理に使用される。
【００５１】
ガンマ2504では画像全体の濃度を濃くあるいは薄くするように処理が行われる。たとえば入力画像の色空間を任意の色空間に変換したり、入力系の色味に関する補正処理を行う部分である。
【００５２】
2511の画像シフトでは主走査、副走査とも32x32画素以内のシフト機能を有しており、入力された画像をどちら方向へシフトするのか、および、シフトすることによりパディングの位置が変わるため、その色を指定できるようになっている。
【００５３】
原稿がカラーか白黒かを判断するために変倍前の画像信号を色空間変換2505によって公知のLabに変換する。
【００５４】
このうちa,bは色信号成分を表しており、比較器2505内の所定のレベル以上であれば有彩色、そうでなければ無彩色として1bitの判定信号を比較器2505から出力する。
【００５５】
カウンタ2507は比較器からの出力を計測する。文字／写真判定2508は画像から文字エッジを抽出し、画像を文字と写真に分離する機能である。出力として、文字写真判定信号が得られる。
【００５６】
この信号（像域信号）も画像とともにメモリやＨＤに格納され、印刷時に使用される。2509は2値化器であり、RGB各8bitの信号からND信号と呼ばれる信号を生成（ND=(R+2G+B)/4）し、固定もしくは変動スライスレベルの閾値で2値化する。2510はカウンタであり、2値化された信号の画素をカウントする。
【００５７】
2512であらかじめ設定されている所定の値とカウント値を比較することによって、白紙判定結果を保持することができる。
【００５８】
図6にプリンタ画像処理2016の詳細説明を示す。
【００５９】
2601は画像データの地色を飛ばし、不要な下地のカブリ除去を行う。例えば、３×８のマトリクス演算や、１次元ＬＵＴにより下地飛ばしを行う。これは前述したように2032にも含まれる機能であり、まったく同等の回路である。
【００６０】
2602はカラー画像データをモノクロデータに変換し、単色としてプリントする際に、カラー画像データ、例えばＲＧＢデータを、Ｇｒａｙ単色に変換するモノクロ生成部である。例えば、ＲＧＢに任意の定数を掛け合わせ、Ｇｒａｙ信号とする１×３のマトリクス演算から構成される。
【００６１】
2603は画像データを出力するプリンタ部の特性に合わせて色補正を行う出力色補正部である。例えば、４×８のマトリクス演算や、ダイレクトマッピングによる処理から構成される。2604は画像データの空間周波数を任意に補正するフィルタ処理部であり、例えば９×９のマトリクス演算を行う処理から構成される。
【００６２】
2605は出力するプリンタ部の特性に合わせて、ガンマ補正を行う処理であり、通常1次元のＬＵＴから構成される。
【００６３】
2606は出力するプリンタ部の階調数に合わせて任意の中間調処理を行う処理部であり、２値化や３２値化など、任意のスクリーン処理や、誤差拡散処理を行う中間調処理部である。各処理は図示しない文字／写真判定信号によって切り替えることも可能である。
【００６４】
ドラム間遅延メモリ2607はCMYKの各色のドラムを持つカラープリンタにおいて、CMYKの印字タイミングをドラム間分ずらすことで、CMYK画像を重ね合わせるためのメモリである。
【００６５】
CMYK各色４ドラムを持つカラープリンタにおいて画像の位置を合わせるために遅延させることができる。
【００６６】
画像入出力デバイスを図7に示す。
【００６７】
画像入力デバイスであるスキャナ部2015は、原稿となる紙上の画像を照明し、CCDラインセンサ(図示せず)を走査することで、ラスターイメージデータとして電気信号に変換する。
【００６８】
原稿用紙は原稿フィーダ2701のトレイ2702にセットし、装置使用者が操作部2006から読み取り起動指示することにより、コントローラCPU2001がスキャナ2015に指示を与え、フィーダ2071のトレイ2702から原稿用紙を1枚ずつフィードし原稿画像の読み取り動作を行う。
【００６９】
画像出力デバイスであるプリンタ部2017は、ラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。
【００７０】
プリント動作の起動は、コントローラCPU2001からの指示によって開始する。
【００７１】
プリンタ部2095には、異なる用紙サイズまたは異なる用紙向きを選択できるように複数の給紙段を持ち、それに対応した用紙カセット2703、2704、2705がある。また、排紙トレイ2706は印字し終わった用紙を受ける排紙トレイである。
【００７２】
操作部2006の構成を図8に示す。
【００７３】
LCD表示部2801は、LCD上にタッチパネルシート2802が貼られており、システムの操作画面およびソフトキーを表示するとともに、表示してあるキーが押されるとその位置情報をコントローラCPU2001に伝える。
【００７４】
スタートキー2014は原稿画像の読み取り動作を開始する時などに用いる。スタートキー2803中央部には、緑と赤の2色LED2804があり、その色によってスタートキー2803が使える状態にあるかどうかを示す。
【００７５】
ストップキー2805は稼働中の動作を止める働きをする。IDキー2806は、使用者のユーザーIDを入力する時に用いる。
【００７６】
リセットキー2807は操作部からの設定を初期化する時に用いる。
【００７７】
図9は、本実施例の画像入出力装置における初期画面であり、各画像形成機能設定後に戻ってくる標準画面でもある。
【００７８】
3101はコピー設定を行うための画面切り替えを行う。
【００７９】
3102はスキャンした画像をファックスや電子メールで送信する設定を行うための画面切り替えを行う。
【００８０】
3103は内蔵HDDにスキャン画像、PDL画像を格納する、あるいは格納されたスキャン画像、PDL画像を印字、あるいは送信する、あるいは編集する設定を行うための画面切り替えを行う。
【００８１】
3104は3105のよって設定された画像読み込み時の設定を表示するためのウィンドウである。
【００８２】
3105は画像読み込み時の解像度、濃度などを設定する。
【００８３】
3106はタイマー送信時のタイマー設定、HDDあるいはプリンタに印字する場合の設定などを行う。
【００８４】
3107は3108によって指定された送信宛先の表示を行う。3109は3107に表示された１宛先の詳細な情報の表示を行う。
【００８５】
3110は3107に表示された１宛先の消去を行う。
【００８６】
図10は3105を押下したときに表示されるポップアップウィンドウである。
【００８７】
3201は読み取り原稿サイズをポップアップのなかから選択入力し、設定された読み取りサイズは3202に表示される。
【００８８】
3203は原稿の読み取りモードを選択するところであり、押下するとカラー/ブラック/自動(ACS)の３種類が選択できる。カラーモードに関してはコピー、ボックスでも同様に選択ができる。
【００８９】
カウンタ2507の計測結果が所定値よりも小さければ白黒原稿、大きければカラー原稿と判断し、カラーの場合はカラー画像を、ブラックの場合には白黒画像を、ACSの場合にはカラー画像と原稿がカラーか白黒かを判別した結果を蓄積する。
【００９０】
3204は読み取りの解像度を指定するためポップアップからの選択入力になる。
【００９１】
3205は原稿の読み取り濃度を調整するためのスライダーであり、９段階の調整が行える。
【００９２】
3206は新聞のように下地がかぶった画像を読み込む場合に、濃度を自動的に決定するためにある。3206についてはコピーでも同様の設定が可能である。
【００９３】
図11にコピータブ3101を押下したときの画面を示す。
【００９４】
3301はコピーできる状態が否かを示すところであり、同時に設定したコピー部数も表示される。
【００９５】
3302は3206と同等の機能であり、下地除去を自動的にするかしないかを選択するためのボタンである。
【００９６】
3303は3205と同等の機能であり、9段階の濃度調整が可能なスライダーである。
【００９７】
3304は原稿のタイプを選択するところであり、文字・写真・地図、文字、印画紙写真、印刷写真が選択できる。
【００９８】
3305は応用モードボタンであり、縮小レイアウト（複数枚の原稿を1枚の用紙に縮小印字する機能）や、カラーバランス（CMYKの各色微調整）などが設定できる。
【００９９】
3306は各種フィニッシングにかかわる設定を行うボタンであり、シフトソート、ステープルソート、グループソートが設定できる。
【０１００】
3307は両面読み込み、および、両面印刷にかかわる設定を行うボタンである。
【０１０１】
図12にボックスタブ3103を押下したときの画面を示す。
【０１０２】
3401はHDDを論理的に区分した各フォルダを示す。フォルダにはフォルダ番号があらかじめ割り振られており、3401は０番のフォルダになる。フォルダ番号の横にはフォルダで使用しているディスク容量の割合が表示されている。
【０１０３】
また、フォルダには任意の名前をつけることができ、名前もここに表示される。
【０１０４】
3402はHDD全体の使用量が表示される。
【０１０５】
図13に3401を押下したときの画面を示す。
【０１０６】
3501および3502はフォルダに格納されている文書を示す。文書は複数のページで構成されている。
【０１０７】
3501はスキャンした文書であり、スキャン文書であることを示すアイコン表示、および、HDD使用量、さらにユーザーが任意に設定できる文書名表示を表示している。
【０１０８】
3502はPDLから格納したPDL文書であるアイコンが表示されている。アイコンを押下することで、その文書が選択されたことが反転表示によって示される。
【０１０９】
3503は選択された文書を送信するためのボタンである。
【０１１０】
3504はスキャナから原稿を読み込み、文書を生成するためのボタンである。3505はフォルダ内のすべての文書を選択するためのボタンである。
【０１１１】
3506は選択された文書を削除するためのボタンである。
【０１１２】
3507は選択された文書を印刷するためのボタンである。
【０１１３】
3508は選択された文書を編集するためのボタンである。たとえば2つの文書を選択して、結合し、1つの文書にして保存したり、特定のページを削除する機能を持っている。
【０１１４】
3509は最後に選択された文書の詳細情報を表示するためのボタンである。文書名以外にも解像度、原稿サイズ、カラー、出力時間、部数などの情報をみることができる。
【０１１５】
3510は文書の出力時刻、部数を指定するためのボタンである。
【０１１６】
図14に時刻指定ボタン押下時の画面を示す。
【０１１７】
3512のボックス内に格納されている文書を指定すると、3519の連続印字ボタンが有効となり、3520の連続印字[する・しない]の設定が可能となる。
【０１１８】
3520で連続印字[する]が指定されると、3513の開始時刻ボタンが有効となる。
【０１１９】
3513の開始時刻ボタン押下で、3512の文書を出力するための開始時刻3514を指定する。
【０１２０】
開始時刻3514を指定した場合は、3515の終了時刻ボタン、3517の出力部数のボタンが有効となり、3515の終了時刻ボタン押下で、文書3512の出力終了時刻3516を指定し、3517の出力部数のボタン押下で、出力部数3518を指定できる。
【０１２１】
3514の時刻指定が無いときは、--:--を表示し、時刻指定の出力は行われず、3512の文書を出力トレイフルになるまで連続印字し続ける。
【０１２２】
尚、UI上で指定するほか、ネットワーク経由でホストPCより同様の設定を本装置のドライバのメニューダイアログより指定する事が可能である。メニュー内容に関しては、図15と同様のため省略する。
【０１２３】
図15にソフト構成図を示す。
【０１２４】
4010は表示操作部を制御するUI制御部であり、UI制御部からの指示を受け、コピー動作、送信動作、ボックス画面からのスキャン、プリントを実行するコピーアプリケーション部4020、送信アプリケーション部4021、BOXアプリケーション部4022がある。
【０１２５】
またネットワークアプリケーション4120からのPDLプリントデータをうけPDLプリントジョブを投入するPDLアプリケーション部4023がある。
【０１２６】
4030は機器制御部分の機器依存部分を吸収するための共通インタフェース部分、4040は共通インタフェースから受け取ったジョブ情報を整理し、下位層のドキュメント処理部に伝達するジョブマネージャである。
【０１２７】
ドキュメント処理部はローカルコピーであればスキャンマネージャ4050とプリントマネージャ4090、リモートコピーの送信ジョブ、あるいは送信ジョブであればスキャンマネージャ4050とファイルストアマネージャ4100、リモートコピーの受信ジョブであればファイルリードマネージャ4060とプリントマネージャ4090、PDLプリントではPDLマネージャ4070とプリントマネージャ4090である。
【０１２８】
各ドキュメントマネージャ間の同期とり、および各種画像処理を行うイメージマネージャ4110への画像処理の依頼はシンクマネージャ4080を介して行う。
【０１２９】
スキャン、プリント時の画像処理や画像ファイルの格納はイメージマネージャ4110が行う。
【０１３０】
まずローカルコピーのソフト処理について説明する。
【０１３１】
使用者の指示によりUI制御部4010からコピー指示とともにコピーの設定がコピーアプリケーション部4020に伝わる。
【０１３２】
コピーアプリケーション部4020はUI制御部4010からの情報を共通インタフェース4030を介して、機器制御を行うジョブマネージャ4040に伝える。
【０１３３】
ジョブマネージャ4040はスキャンマネージャ4050とプリントマネージャ4090にジョブの情報を伝達する。
【０１３４】
スキャンマネージャ4050は図示しないデバイスI/F（デバイスI/Fはコントローラ2000とスキャナ2015、およびコントローラ2000とプリンタ2017を結ぶシリアルI/F）を介してスキャナ2070にスキャン要求を行う。
【０１３５】
また、同時にシンクマネージャ4080を介してイメージマネージャ4110にスキャン用の画像処理要求を出す。イメージマネージャ4110はスキャンマネージャ4050の指示に従って、スキャナ画像処理部2014の設定を行う。
【０１３６】
設定が完了したら、シンクマネージャ4080を介してスキャン準備完了を伝える。
【０１３７】
その後スキャンマネージャ4050はスキャナ2070に対してスキャンを指示する。スキャン画像転送完了は図示しないハードウェアからの割り込み信号によってイメージマネージャ4110に伝わる。
【０１３８】
イメージマネージャ4110からのスキャン完了を受けてシンクマネージャ4080はスキャン完了をスキャンマネージャ4050、プリントマネージャ4090に伝える。
【０１３９】
同時にシンクマネージャ4080はRAM2002に蓄積された圧縮画像をＨＤＤ2004にファイル化するためイメージマネージャ4110に指示する。
【０１４０】
イメージマネージャ4110は指示に従ってメモリ上の画像（文字／写真判定信号を含めて）をHDD2004に格納する。画像の付随情報として図示しないＳＲＡＭにカラー判定/白黒判定結果、下地とばしを行うための下地とばしレベル、画像入力元としてスキャン画像、色空間RGBも格納しておく。
【０１４１】
また、HDD2004への格納が終了し、スキャナ2070からのスキャン完了を受けたら、シンクマネージャ4080を介してスキャンマネージャ4050にファイル化終了を通知する。
【０１４２】
スキャンマネージャ4050はジョブマネージャ4040に対して終了通知を返し、ジョブマネージャ4040は共通インタフェース4030を介してコピーアプリケーション部4020へ返す。
【０１４３】
プリントマネージャ4090はメモリに画像が入った時点でデバイスI/Fを介して、プリンタ2095に印刷要求をだす。
【０１４４】
同時にシンクマネージャ4080にプリント画像処理要求を行う。シンクマネージャ4080はプリントマネージャ4090から要求を受けたら画像処理設定をイメージマネージャ4110に依頼する。イメージマネージャ4110は前記の画像の付随情報に従ってプリンタ画像処理部2015の設定を行い、シンクマネージャ4080を介してプリントマネージャ4090にプリント準備完了を伝える。プリントマネージャ4090はプリンタに対して印刷指示を出す。
【０１４５】
プリント画像転送完了は図示しないハードウェアからの割り込み信号によってイメージマネージャ4110に伝わる。
【０１４６】
イメージマネージャ4110からのプリント完了を受けてシンクマネージャ4080はプリント完了をプリントマネージャ4090に伝える。
【０１４７】
プリントマネージャ4090はプリンタ部からの排紙完了を受け、ジョブマネージャ4040に対して終了通知を返し、ジョブマネージャ4040は共通インタフェース4030を介してコピーアプリケーション部4020へ返す。
【０１４８】
コピーアプリケーション部4020はスキャン、プリントが終了したらジョブ終了をUI制御部に通知する。
【０１４９】
リモートコピーのスキャンジョブ、送信ジョブの場合は、プリントマネージャ4090に代わってストアマネージャ4100がジョブマネージャ4040からの要求を受ける。
【０１５０】
スキャン画像をHDDに格納し終わった時点で、シンクマネージャ4080から格納完了通知を受け、それを共通インタフェース4030を介してリモートコピーならコピーアプリケーション部4020に、送信ジョブなら送信アプリケーション部4021に通知する。
【０１５１】
コピーアプリケーション部4020、送信アプリケーション4021はこの通知のあと、ネットワークアプリケーション4420に対してHDDに格納されたファイルの送信を依頼する。
【０１５２】
依頼を受けたネットワークアプリケーション4420がファイルを送信する。ネットワークアプリケーション4420はジョブ開始時にコピーアプリケーション部4020からコピーに関する設定情報を受け、それもリモート側の機器に通知する。
【０１５３】
ネットワークアプリケーション4420はリモートコピーの場合、機器固有の通信プロトコルを使用して送信を行う。
【０１５４】
また送信ジョブの場合はFTP、SMBのような標準的なファイル転送プロトコルを使用する。
【０１５５】
ファックス送信する場合はファイル格納後、送信アプリケーション4021から共通インタフェース4030、ジョブマネージャ4040を介してFAXマネージャ4041に送信が指示される。FAXマネージャ4041はModem2050を介して、相手機器とネゴシエーションし、必要な画像処理（カラー->白黒変換、多値2値変換、回転、変倍）をイメージマネージャ4110に依頼し、変換後の画像をModemを使って送信する。
【０１５６】
また、送信先にプリンタがある場合、送信アプリケーションは共通インタフェース4000を介してプリントジョブとしてプリントの指示を行う。そのときの動作は以下で説明するリモートコピーのプリントジョブの場合と同様である。
【０１５７】
また、送信宛先が機器内のボックス宛先になっているときはファイルストアマネージャ4100によって機器内のファイルシステムに格納する。
【０１５８】
FAX受信時はFAXマネージャがModemを使って画像を受信し、画像ファイルとしてHDD2004に格納する。
【０１５９】
HDD2004格納後にボックスアプリケーション4021に通知すると、ボックスアプリケーション4021から受信プリントの指示が共通インタフェース4030を介して、ジョブマネージャ4040になされる。
【０１６０】
その後は通常のボックスプリントジョブと同じ動作になるため省略する。
【０１６１】
リモートコピーのプリントジョブの場合は、送信側からの画像をネットワークアプリケーション4420がHDDに保存するとともにコピーアプリケーション部4020に対してジョブを発行する。
【０１６２】
コピーアプリケーション部4020は共通インタフェース4030を介してジョブマネージャ4040にプリントジョブを投入する。
【０１６３】
ローカルコピーとは異なり、スキャンマネージャ4050に代わってファイルリードマネージャ4060がジョブマネージャ4040からの要求を受ける。
【０１６４】
受信画像をHDDからメモリに展開するための要求をシンクマネージャ4080を介して、イメージマネージャ4110に行う。
【０１６５】
イメージマネージャ4110はメモリに画像を展開する。イメージマネージャ4110は展開が終了した時点で、展開終了をシンクマネージャ4080を経由して、ファイルリードマネージャ4060とプリントマネージャ4090に伝える。
【０１６６】
プリントマネージャ4090はメモリに画像が入った時点でデバイスI/Fを介して、プリンタ2017にジョブマネージャから指示された給紙段、もしくはその用紙サイズを有する段を選択し、印刷要求をだす。
【０１６７】
自動用紙の場合には画像サイズから給紙段を決定し印刷要求をだす。同時にシンクマネージャ4080にプリント画像処理要求を行う。
【０１６８】
シンクマネージャ4080はプリントマネージャ4090から要求を受けたらプリント画像処理設定をイメージマネージャ4110に依頼する。（このときたとえば最適サイズ用紙がなくなり、回転が必要になれば別途回転指示も依頼する。回転指示があった場合にはイメージマネージャが画像回転2019を使って画像を回転する。）
イメージマネージャ4110はプリンタ画像処理部2090の設定を行い、シンクマネージャ4080を介してプリントマネージャ4090にプリント準備完了を伝える。
【０１６９】
プリントマネージャ4090はプリンタに対して印刷指示を出す。プリント画像転送完了は図示しないハードウェアからの割り込み信号によってイメージマネージャ4110に伝わる。
【０１７０】
イメージマネージャ4110からのプリント完了を受けてシンクマネージャ4080はプリント完了をファイルリードマネージャ4060とプリントマネージャ4090に伝える。ファイルリードマネージャ4060は終了通知をジョブマネージャ4040に返す。
【０１７１】
プリントマネージャ4090はプリンタ部からの排紙完了を受け、ジョブマネージャ4040に対して終了通知を返す。
【０１７２】
ジョブマネージャ4040は共通インタフェース4030を介してコピーアプリケーション部4020へ終了通知を返す。
【０１７３】
コピーアプリケーション部4020はスキャン、プリントが終了したらジョブ終了をUI制御部に通知する。
【０１７４】
PDLデータ展開格納ジョブの場合は、PDLプリントを投入したホストPCからの要求がネットワークアプリケーション4120を経由してPDLアプリケーション4023に伝達される。
【０１７５】
PDLアプリケーションがPDLデータ展開格納ジョブを共通インタフェース4030を介してジョブマネージャ4040に指示する。このときPDLマネージャ4070とストアマネージャ4100がジョブマネージャ4040からの要求を受ける。
【０１７６】
画像のRIPが終了した後の画像入力する部分に関しては前述のスキャンジョブと同様である。
【０１７７】
メモリ上の画像（文字／写真判定信号を含めて）をHDD2004に格納する。画像の付随情報として図示しないＳＲＡＭにカラー/白黒情報、画像入力元としてPDL画像、色空間CMYKもしくはRGBも格納しておく。
【０１７８】
PDL画像をHDD2004に格納し終わった時点で、シンクマネージャ4080から格納完了通知を受け、それを共通インタフェース4030を介してPDLアプリケーション4023に通知する。
【０１７９】
ＰＤＬアプリケーション4023はこの通知のあと、ネットワークアプリケーション4420にHDDに格納完了を通知し、PDLプリントを投入したホストPCへこの情報が伝達される。
【０１８０】
また、PDLプリントジョブの場合にはPDLマネージャ4070とプリントマネージャによって、メモリ上に展開された画像を印字する。
【０１８１】
PDL展開され格納された画像のプリントはUIで印刷指示された格納文書をBOXアプリケーションに対してプリントジョブとして発行する。
【０１８２】
BOXアプリケーション部4022は共通インタフェース4030を介してジョブマネージャ4040にプリントジョブを投入する。
【０１８３】
ローカルコピーとは異なり、スキャンマネージャ4050に代わってファイルリードマネージャ4060がジョブマネージャ4040からの要求を受ける。
【０１８４】
印刷指示された画像をHDDからメモリに展開するための要求をシンクマネージャ4080を介して、イメージマネージャ4110に行う。
【０１８５】
この後の動作はリモートコピーのプリントジョブで説明した動作と同様のため、省略する。
【０１８６】
図16は、本実施例の画像入出力装置200の出力デバイスで複数部のソートコピーを行う場合の制御を示すフローチャートである。
【０１８７】
S5001にて、
CPU2001は、操作部2012からソートコピージョブのスタート指示を検知した場合、S5002の処理を行う。
【０１８８】
S5002にて、
CPU2001は、部数が２以上の指示か否かを判断する。２以上の場合S5003の処理を行う。２以上でない場合S5008の処理を行う。
【０１８９】
S5003にて、
CPU2001は、HDD2004の画像データ格納領域残量と後述する画像データ格納領域残量閾値を比較して、HDD2004の画像データ格納領域残量が画像データ格納領域残量閾値以上の場合、S5004の処理を行う。
【０１９０】
HDD2004の画像データ格納領域残量が画像データ格納領域残量閾値より少ない場合、S5008の処理を行う。
【０１９１】
前記画像データ格納領域残量閾値は、毎ジョブ開始時に算出し予め読み取りモード（原稿サイズ、白黒読み取りかカラー読み取りか、片面読読み取りか両面読み取りか）毎に決めた１ページの画像データサイズと、原稿フィーダ2701を使用する場合は、予めHDD2004に保持している原稿フィーダ2701の積載可能枚数と、
ユーザー変更可能な閾値補正係数の積値である。
【０１９２】
S5004にて、
CPU2001は、スキャナ2070にて原稿のスキャンを開始して、画像データをHDD2004の画像データ格納領域への格納を開始してS5005の処理を行う。
【０１９３】
S5005にて、
CPU2001は、S5004で行ったHDD2004の画像データ格納領域への格納が、全ての原稿に対して終了したか否かを判断する。終了したと判断した場合、S5006の処理を行う。終了していないと判断した場合、S5005の処理を行う。
【０１９４】
S5006にて、
CPU2001は、S5005にてHDD2004の画像データ格納領域へ格納した画像データを１ページ目から順に全ページの画像データを出力デバイス（プリンタ2095）へ転送してS5007の処理を行う。
【０１９５】
S5007にて、
CPU2001は、指定部数の出力が完了したか否かを判断する。完了していると判断した場合、ソートコピーの処理を終了する。完了していないと判断した場合、S5006の処理を行う。
【０１９６】
S5008にて、
CPU2001は、スキャナ2070にて原稿のスキャンを開始して、画像データをHDD2004の画像データ格納領域への格納を開始してS5009の処理を行う。
【０１９７】
S5009にて、
CPU2001は、S5005にてHDD2004の画像データ格納領域へ格納した画像データを１ページ目から順に１ページ分の画像データが格納完了したら出力デバイス（プリンタ2095）へ転送してS5010の処理を行う。
【０１９８】
S5010にて、
CPU2001は、指定部数の出力が完了したか否かを判断する。完了していると判断した場合、ソートコピーの処理を終了する。完了していないと判断した場合、S5009の処理を行う。
【０１９９】
図17は、本実施例の画像入出力装置200が外部出力デバイスである画像入出力装置220を利用して複数部のソートコピーを行う場合の制御を示すフローチャートである。
【０２００】
S5101にて、
CPU2001は、操作部2012からソートコピージョブのスタート指示を検知した場合、S5102の処理を行う。
【０２０１】
S5102にて、
CPU2001は、部数が２以上の指示か否かを判断する。２以上の場合S5103の処理を行う。２以上でない場合S5108の処理を行う。
【０２０２】
S5103にて、
CPU2001は、画像データを出力しようとしている外部出力デバイス（画像入出力装置220）の画像データ格納領域残量と後述する画像入出力装置200の画像データ格納領域残量閾値を比較して、画像データを出力しようとしている外部出力デバイスの画像データ格納領域残量が画像データ格納領域残量閾値以上の場合、S5104の処理を行う。
【０２０３】
画像データを出力しようとしている外部出力デバイスの画像データ格納領域残量が画像データ格納領域残量閾値より少ない場合、S5108の処理を行う。
【０２０４】
前記画像データ格納領域残量閾値は、毎ジョブ開始時に算出し予め読み取りモード（原稿サイズ、白黒読み取りかカラー読み取りか、片面読読み取りか両面読み取りか）毎に決めた１ページの画像データサイズと、原稿フィーダ2701を使用する場合は、予めHDD2004に保持している原稿フィーダ2701の積載可能枚数と、
ユーザー変更可能な閾値補正係数の積値である。
【０２０５】
S5104にて、
CPU2001は、スキャナ2070にて原稿のスキャンを開始して、画像データをHDD2004の画像データ格納領域への格納を開始してS5105の処理を行う。
【０２０６】
S5105にて、
CPU2001は、S5104で行ったHDD2004の画像データ格納領域への格納が、全ての原稿に対して終了したか否かを判断する。終了したと判断した場合、S5106の処理を行う。終了していないと判断した場合、S5105の処理を行う。
【０２０７】
S5106にて、
CPU2001は、S5105にてHDD2004の画像データ格納領域へ格納した画像データを１ページ目から順に全ページの画像データを出力デバイス（画像入出力装置220）へ転送してS5107の処理を行う。
【０２０８】
S5107にて、
CPU2001は、指定部数の出力が完了したか否かを判断する。完了していると判断した場合、ソートコピーの処理を終了する。完了していないと判断した場合、S5106の処理を行う。
【０２０９】
S5108にて、
CPU2001は、スキャナ2070にて原稿のスキャンを開始して、画像データをHDD2004の画像データ格納領域への格納を開始してS5109の処理を行う。
【０２１０】
S5109にて、
CPU2001は、S5105にてHDD2004の画像データ格納領域へ格納した画像データを１ページ目から順に１ページ分の画像データが格納完了したら出力デバイス（画像入出力装置220）へ転送するリモートコピーを行いS5110の処理を行う。
【０２１１】
S5110にて、
CPU2001は、指定部数の出力が完了したか否かを判断する。完了していると判断した場合、ソートコピーの処理を終了する。完了していないと判断した場合、S5109の処理を行う。
【図面の簡単な説明】
【０２１２】
【図１】画像形成システムの全体構成を示す図。
【図２】画像入出力装置の全体構成を示す図。
【図３】画像形式を示す図。
【図４】パケットデータの形式を示す図。
【図５】本発明のスキャナ画像処理のブロック図。
【図６】本発明のプリンタ画像処理のブロック図。
【図７】画像入出力装置の入出力デバイス外観図。
【図８】画像入出力装置の操作部外観図。
【図９】本発明の操作部の初期画面。
【図１０】本発明の操作部の読取ボタン押下時ポップアップウィンドウ。
【図１１】本発明の操作部のコピー画面。
【図１２】本発明の操作部のボックス画面。
【図１３】本発明の操作部のボックス指定画面。
【図１４】本発明の操作部の時間指定、連続印字のボックス設定の説明図。
【図１５】本発明のソフト構成を示すソフト構成図。
【図１６】本発明の一実施形態の制御フロー図。
【図１７】本発明の他の実施形態の制御フロー図。
【図１】
2008311732.tif 000003
【図２】
2008311732.tif 000004
【図３】
2008311732.tif 000005
【図４】
2008311732.tif 000006
【図５】
2008311732.tif 000007
【図６】
2008311732.tif 000008
【図７】
2008311732.tif 000009
【図８】
2008311732.tif 000010
【図９】
2008311732.tif 000011
【図１０】
2008311732.tif 000012
【図１１】
2008311732.tif 000013
【図１２】
2008311732.tif 000014
【図１３】
2008311732.tif 000015
【図１４】
2008311732.tif 000016
【図１５】
2008311732.tif 000017
【図１６】
2008311732.tif 000018
【図１７】
2008311732.tif 000019